(57)【特許請求の範囲】
【請求項１】
少なくとも短尺板状の敷目部の下辺を屈曲させた馳部と、敷目部の上辺を馳部と逆方向に突出させた雨返部と、敷目部の幅方向の両端を表面側に突出した舌片から構成される敷目板と、敷目部の上方に位置し中央部近傍から幅方向両端に向かって次第に高さを減少する差込片と、該差込片の幅方向端部を内方に屈曲した折り返し片と、該折り返し片の中央部寄りの端部を外方に屈曲、延長した流下片と、差込片と折り返し片の接続部の変形を容易にした変形部を有する継手材とを用い、化粧面の幅方向の端部を裏面側に折り返して形成した連結片を有する外装材を該連結片と継手材の係止部にて係合しつつ、また継手材は敷目板の敷目部上に位置させつつ外装材を接続するようにしたことを特徴とする防水継手構造。
【発明の詳細な説明】
【０００１】
【産業上の利用分野】
本発明は、横葺用外装材を用いて外装を形成した際の縦目地における防水継手構造に関するものである。
【０００２】
【従来の技術】
従来、横葺き用屋根材、横張り用外壁材等の外装材を施工した際の継手構造は、▲１▼外装材の両側縁をはぜ状に屈曲し、互いにはぜ継ぎした構造、▲２▼敷目板とカバー材とにより外装材の側端部を上下でサンドイッチした構造、▲３▼外装材同士を単に重ねた構造等であった。
【０００３】
【発明が解決しようとする課題】
しかしながら、▲３▼は防水性に劣り、▲１▼、▲３▼は外装材を重ねることにより段差が不揃いとなって意匠性の低下を招く不利があった。また▲２▼では、積雪地方での雪落としの際にカバー材を外装材の長手方向にスライドさせてしまい継手部分が外部に露出してしまう危険性があった。さらに、継手材の構成が複雑で、形成が困難な上にコストアップを招くものであった。
【０００４】
【課題を解決するための手段】
本発明はこのような欠点を除去するため、少なくとも短尺板状の敷目部の下辺を屈曲させた馳部と、敷目部の上辺を馳部と逆方向に突出させた雨返部と、敷目部の幅方向の両端を表面側に突出した舌片から構成される敷目板と、敷目部の上方に位置し中央部近傍から幅方向両端に向かって次第に高さを減少する差込片と、差込片の幅方向端部を内方に屈曲した折り返し片と、折り返し片の中央部寄りの端部を外方に屈曲、延長した流下片と、差込片と折り返し片の接続部の変形を容易にした変形部を有する継手材とを用い、化粧面の幅方向の端部を裏面側に折り返して形成した連結片を有する外装材を連結片と継手材の係止部にて係合しつつ、また継手材は敷目板の敷目部上に位置させつつ外装材を接続するようにしたことにより、施工性、防水性、耐久性およびコスト面で有利で意匠性に優れた防水継手構造を提案するものである。
【０００５】
【実施例】
以下に、本発明に係る防水継手構造について詳細に説明する。図１は敷目板Ａと継手材Ｂの代表的な一例、図２（ａ）、（ｂ）はそれぞれ外装材Ｃ、裏打材Ｄを示すものである。
【０００６】
敷目板Ａは図１に示すように、短尺板状の敷目部１と、敷目部１の下辺２を屈曲させた馳部３と、敷目部１の上辺４を馳部３と逆方向に屈曲させた雨返部５と、敷目部１の幅方向両端６を表面側に折り返した舌片７とから構成され、必要に応じて馳部３の下端の一部を内方に延長した馳舌片８を有する。
【０００７】
敷目板Ａは、外装材Ｃを施工した際の縦目地部αの下部に敷設されるもので、後記する継手材Ｂを敷目部１上よりはみ出さないように位置させることで縦目地部αの防水性の向上に寄与するものであり、縦目地部αより内部に浸入した雨水は、馳部３、雨返部５、舌片７に囲まれた敷目部１上を流下して外部に導かれるものである。なお、敷目板Ａは単純な形状とすることにより形成を容易ならしめ、コストダウンを図ったものである。
【０００８】
継手材Ｂは、図１に示すように短尺板状の底面部９と、底面部９の幅方向両端１１の近傍を上方に隆起して設けた突出片１２を有し、さらに底面部９の長手方向の少なくとも一部に亘り中央部１０近傍を高くし、幅方向両端１１に向かって次第に高さを減少する差込片１３と、差込片１３の幅方向両端側１１側の端部を下方に折り返し内方に延長した折り返し片１４と、折り返し片１４の中央部１０寄りの端部を下方に折り返し外方に延長した突出片１２と接続する流下片１５と、差込片１３と折り返し片１４の接続部に孔１７を多数設けて変形を容易にした変形部１６とからなる係止部１８を有するものである。なお、継手材Ｂと敷目部１のそれぞれの長さ△Ｓと△Ｔ、幅△Ｘと△Ｙとの間にはそれぞれ△Ｓ＜△Ｔ、△Ｘ＜△Ｙなる関係が成立する。
【０００９】
突出片１２は、幅方向両端１１の近傍にて上方に隆起させ、中央部１０近傍から浸入した雨水等が底面部９に落下せずに差込片１３を伝わって拡散するのを防止して流下片１５上にて下方に流下させ、防水性の向上に寄与するものである。
【００１０】
変形部１６は、差込片１３を外装材Ｃの連結片２４と係合する際に屈曲して角度を変化させ強固な接続とするもので、外装材Ｃを接続した際の強度を向上させるとともに、防水性の向上にも有効で、差込縁１３と折り返し片１４との接続部に多数の孔１７を設けることによって形成し、他の箇所に比べて変形を容易にすることで、縦目地部αの施工を容易にするものである。なお、図１では変形部１６は孔１７を多数設けて形成されるが、溝を長手方向に沿って設けたり、局部的に軟質の材料を使用したりして形成することもできる。
【００１１】
継手材Ｂは、外装材Ｃの長手方向の両側端部に形成される連結片２９と係合することによって外装材Ｃ同士を連結するもので、敷目板Ａの敷目部１上からはみ出すことなく位置させることにより、突出片１２とも併せて、縦目地部αより浸入した雨水を下地まで到達させることなく確実に流下させるものである。
【００１２】
なお、敷目板Ａ、継手材Ｂの素材はカラー鋼板、アルミニウム板、チタン板、グラッド鋼板、銅板等の薄金属板、もしくは合成樹脂板等をロールフォーミング成形、押出成形、射出成形、プレス成形等して形成したもの等よりなるものである。
【００１３】
外装材Ｃは、例えば図２（ａ）に示すような構成のものを使用する。すなわち、外装材Ｃは金属板（カラー鋼板、銅板、アルミニウム板、チタン板、ステンレス板、サンドイッチ鋼板、クラッド鋼板等）をロール成形、プレス成形、押出成形等によって形成したものである。
【００１４】
外装材Ｃは長尺状であり、その幅方向の一端部を化粧面１９の下側、すなわち裏面２０側に略コ字状に屈曲して段差化粧面２１と差込縁２２とを形成した雄型連結部２４としたもので、化粧面１９と段差化粧面２１と差込縁２２とから略コ字状の引っかけ溝２３を形成したものである。
【００１５】
また、化粧面１９の幅方向の他端には化粧面１９の上側に屈曲して断面略Ｕ字状に形成した、前記差込縁２２と嵌合する嵌合溝２５と、嵌合溝２５の先端をコ字状に折り返した嵌合縁２６と、嵌合縁２６の先端を下方に屈曲すると共に化粧面１９と略平行で外方にＬ字状に屈曲して延長した固定片２７を形成した雌型連結部２８を形成したものである。さらに、化粧面１９の長手方向の両側端縁をそれぞれ裏面２０側に馳状に屈曲した連結片２９を形成したものである。
【００１６】
裏打材Ｄは図２（ｂ）に示されるようなもので、素材としてはシージングボード、シージングインシュレーションボート、プラスチックフォーム（ウレタンフォーム、ヌレートフォーム、フェノールフォーム等）、パーチクルボード、木質複合板、木毛セメント板、コンポージットパネル（コンパネ）、石膏ボード、ＡＬＣ板等であり、断熱性を有し、また防音性や外装材Ｃの強度の向上にも寄与するものである。
【００１７】
以下に、図面を用いて本発明に係る防水継手構造について説明する。図３に示すように、下段の裏打材Ｄ1 上に配される外装材Ｃ1 の固定片２７上に裏打材Ｄ2 の下端部を載置し、裏打材Ｄ2 上から敷目板Ａの馳部３および馳舌片８を外装材Ｃ1 の嵌合縁２６と係合する。また、継手材Ｂは敷目部１上からはみ出すことなく位置しつつ、差込片１３を外装材Ｃ2 、Ｃ3 の連結片２９と係合させ、縦目地部αを形成するものである。なお、外装材Ｃ2 、Ｃ3 の差込縁２２は、外装材Ｃ1 の嵌合縁２６、および敷目板Ａの馳部３および馳舌片８と係合する。
【００１８】
このように、図３に示す防水継手構造によれば、継手材Ｂを敷目板Ａの上辺４に形成した雨返部５、および幅方向両端６に形成した舌片７からはみ出すことなく敷目部１上に配することにより、雨水等が継手材Ｂの流下片１５上にて流下せずに突出片１２を越えて溢れても、敷目部１上を流下させることで家屋下地に浸入するのを完全に防止することができるものである。
【００１９】
ここで、図面を用いて本発明に係る防水継手構造を形成する工程を説明する。まず、図４に示すように裏打材Ｄ1 と裏面２０を接するように外装材Ｃ1 を配し、固定片２７上に裏打材Ｄ2 の下端を配した後に、縦目地部αを形成しようとする箇所に馳部３および馳舌片８を嵌合縁２６と係合させつつ敷目板Ａを配する。
【００２０】
次に図５に示すように、連結片２９と継手材Ｂの差込片１３を係合した状態にて外装材Ｃ2 を、継手材Ｂが敷目板Ａの上辺４に形成した雨返部５、および幅方向両端６に形成した舌片７からはみ出さない位置にくるように、その差込縁２２を、外装材Ｃ1 の嵌合縁２６、および敷目板Ａの馳部３および馳舌片８と係合して取り付けるものである。
【００２１】
そして、図３に示すように外装材Ｃ3 を、その差込縁２２を外装材Ｃ1 の嵌合縁２６、および敷目板Ａの馳部３および馳舌片８と係合しつつ、かつ連結片２９を継手材Ｂの差込片１３と係合するようにして取り付けるものである。なお、外装材Ｃ2 およびＣ3 を継手材Ｂと係合する際に、差込片１３は変形部１６の箇所から下方寄りに変形し、連結片２９とその先端を密着することにより、外装材Ｃ2 とＣ3 の係合を強固ならしめ、かつ防水性も強化するものである。
【００２２】
なお、継手材Ｂと外装材Ｃ2 、Ｃ3 との連結は、図５では予め片側の差込片１３と連結片２９を係合しておく方法を示したが、敷目板Ａ上に載置した継手材Ｂ上に外装材Ｃ2 、Ｃ3 の連結片２９を順次係合させるようにしてもよい。
【００２３】
また、図示しないが、外装材Ｃは固定片２７にて下地に釘等の固定具を用いて打設、固定されているものである。
【００２４】
以上の工程を下方から上方に向かって繰り返し行うことにより、外壁、屋根等の外装面を形成するものである。
【００２５】
図６（ａ）〜（ｃ）は、図３のａ−ａ部の切断断面図である。すなわち、（ａ）は舌片７の頂点が底面部９の裏面よりも上方に位置した場合の例であるが、（ｂ）のように、舌片７の頂点が底面部９の裏面よりも下方に位置したり、（ｃ）のように敷目部１と底面部９の裏面が密着するのが、防水性、強度等を向上させるのに好ましい。
【００２６】
なお、図６（ａ）〜（ｃ）は変形部１６にて差込片１３の角度を変化させて化粧面１９と略平行とし、差込片１３と連結片２９との係合が強化された状態を示すものである。
【００２７】
以上説明したのは、本発明の代表例にすぎず、図７（ａ）、（ｂ）〜図１１（ａ）〜（ｃ）に示すような構造としたり、部材を使用することができる。すなわち、図７（ａ）、（ｂ）は敷目板Ａの敷目部１の裏面および外装材Ｃの裏面２０にそれぞれ芯材３０、３１を一体化したものを用いた例を示すものである。なお、芯材３０、３１はそれぞれ切り欠き３２、３３を有するものである。
【００２８】
図７（ａ）に示される敷目板Ａは、敷目部１の裏面の全体又は一部に対し、芯材３０が接着材、あるいは自己接着によって一体化されたものである。
【００２９】
図７（ｂ）に示される外装材Ｃは、裏面２０の全面又は一部に対し、芯材３１が接着材、あるいは自己接着によって一体化されたものである。
【００３０】
芯材３０、３１はポリウレタンフォーム、ポリイソシアヌレートフォーム、フェノールフォーム、塩化ビニルフォーム、ポリエチレンフォーム、ポリスチレンフォーム、ユリアフォーム等、もしくはこれらに無機軽量骨材、無機繊維等の無機材を混入したものであり、成形体の場合は接着剤によって、液状原料の場合は自己接着性によって一体化するものである。
【００３１】
芯材３０、３１を一体化した敷目板Ａおよび外装材Ｃは、図８に示すような構成にて縦目地部αを形成する。すなわち、芯材３０は隣接する芯材３１と密着するものであり、芯材３０、３１の下端は下方に位置する芯材３０、３１の上端上に載置されるもので、断熱性、防音性、縦目地部αの強度等の向上に有効でありかつ施工性も向上するものである。
【００３２】
また、図９（ａ）〜（ｆ）は、本発明の防水継手構造に用いる敷目板Ａのその他の例を示すものである。すなわち、（ａ）は馳舌片８を敷目部１の全幅に亘って形成し、外装材Ｃの嵌合縁２６との係合を強固にした例である。（ｂ）は敷目部１に流れ方向と平行で表面側に突出した複数のリブ３４を設け、雨水の流下を促した例である。（ｃ）、および（ｄ）は幅方向両端６の舌片７の形状を簡素にし、また下辺２の馳部３、上辺４の雨返部５の形状をも簡素化して形成を容易にし、コストダウンを図った敷目板Ａの例である。（ｅ）は上辺４を馳部５として、敷目部１の全幅に亘ってパッキング材３５を配し、縦目地部αの防水性を向上させた例である。（ｆ）は幅方向両端６を舌片７としてパッキング材３５を配し、縦目地部αの防水性を向上させた例である。
【００３３】
図１０（ａ）〜（ｈ）は、本発明の防水継手構造に用いる継手材Ｂのその他の例を示すものである。すなわち、（ａ）、（ｂ）は突出片１２を変形し、防水性の向上を図ると共に、突出片１２の頂部に裏面２０を接触させ、目地部α全体の強度の向上を図った例である。（ｃ）、（ｄ）は差込片１３の先端をそれぞれ下方、上方に屈曲してリブ３６を設け、連結片２９との係合の強化を図った例である。（ｅ）は、流下片１５上に突出片３７を設け、防水性の強化を図った例である。（ｆ）は差込片１３の先端にパッキング材３８を配し、連結片２９との係合力、及び防水性の強化を図った例である。（ｇ）は差込片１３の任意箇所に複数の孔３９を設け、差込片１３を伝って流下片１５側に流れる雨水を底面部９に落下させ、防水性の強化を図った例である。（ｈ）は差込片１３に、長手方向に沿った溝４０を設け、溝４０内に複数の孔３９を設けることにより、差込片１３を伝って流下片１５側に流れる雨水を底面部９に落下させ、防水性の強化を図った例である。
【００３４】
図１１（ａ）〜（ｃ）は敷目板Ａと継手材Ｂを一体化して、一部材とした例である。（ａ）は底面部９を有さず、係止部１８の幅方向両端１１を舌片７にて挟持した例である。（ｂ）は敷目部１に、長手方向と平行に複数のリブ４１を設け、敷目板Ａの防水性と強度の向上を図った例である。（ｃ）は流下片１５の幅方向両端１１近傍に突出片１２を設け、防水性の向上を図った例である。
【００３５】
【発明の効果】
上述したように本発明に係る防水継手構造によれば、▲１▼単純な形状の２つの部材を組み合わせただけで外装材を連結できるため、部材の製造が容易で、ローコストである。▲２▼目地部の防水を確実に行える。▲３▼変形部の作用により差込片の角度の変更が容易で、施工が簡単であり、かつ強固に外装材を連結できる。▲４▼敷目材の舌片と継手材の突出片で２重に防水を行うことで、縦目地部の防水性を高めることができる。▲５▼外観が美しい目地部となる。等の特徴、効果がある。
【図面の簡単な説明】
【図１】本発明に係る防水継手構造に用いる防水敷目板および継手材の代表例を示す説明図である。
【図２】本発明に係る防水継手構造に用いる外装材および裏打材の代表例を示す説明図である。
【図３】本発明に係る防水継手構造の代表例を示す説明図である。
【図４】本発明に係る防水継手構造の施工順を示す図である。
【図５】本発明に係る防水継手構造の施工順を示す図である。
【図６】縦目図部の部分拡大断面図である。
【図７】防水敷目板および外装材に芯材を一体に形成した例である。
【図８】本発明に係る防水継手構造のその他の例である。
【図９】防水敷目板のその他の例である。
【図１０】継手材のその他の例である。
【図１１】敷目板と継手材を一体化した例である。
【符号の説明】
α  縦目地部
Ａ  敷目板
Ｂ  継手材
Ｃ  外装材
Ｃ1   外装材
Ｃ2   外装材
Ｃ3   外装材
Ｄ  裏打材
Ｄ1   裏打材
Ｄ2   裏打材
１  敷目部
２  下辺
３  馳部
４  上辺
５  雨返部
６  幅方向両端
７  舌片
８  馳舌片
９  底面部
１０  中央部
１１  幅方向両端
１２  突出片
１３  差込片
１４  折り返し片
１５  流下片
１６  変形部
１７  孔
１８  係止部
１９  化粧面
２０  裏面
２１  段差化粧面
２２  差込縁
２３  引っかけ溝
２４  雄型連結部
２５  嵌合溝
２６  嵌合縁
２７  固定片
２８  雌型連結部
２９  連結片
３０  芯材
３１  芯材
３２  切り欠き
３３  切り欠き
３４  リブ
３５  パッキング材
３６  リブ
３７  突出片
３８  パッキング材
３９  孔
４０  溝
【図１】
0003731771.tif 000002
【図２】
0003731771.tif 000003
【図３】
0003731771.tif 000004
【図４】
0003731771.tif 000005
【図５】
0003731771.tif 000006
【図６】
0003731771.tif 000007
【図７】
0003731771.tif 000008
【図８】
0003731771.tif 000009
【図９】
0003731771.tif 000010
【図１０】
0003731771.tif 000011
【図１１】
0003731771.tif 000012